(57)【特許請求の範囲】
【請求項１】
冷却ファンのファンフレームに形成された取付孔のいずれかに、取付部材を締結し、この取付部材を介して取付用レールに組み付けて冷却ファンを取り付ける冷却ファンの取付構造において、前記取付部材を、冷却ファンのファンフレームに形成された取付孔に締結する第１の構造部材と、前記冷却ファンを取り付ける取付用レールに組み付けられる第２の構造部材とで構成し、前記第１の構造部材と第２の構造部材を締結手段で締結し、
前記第２の構造部材を、前記第１の構造部材との合せ面を有し、前記締結手段を装着した平面部と、該平面部の両側に設けられ、前記取付用レールに組み付けられる係合溝を形成した両側面部とで構成し、前記係合溝の両端部に前記取付用レールの上下端部に係合する爪部を設け、該係合溝を介して前記取付用レールに前記第２の構造部材を組み付けるとともに、前記係合溝の両端部の爪部を前記取付用レールのフランジ部に係合させる押し圧部材を前記第２の構造部材に装着し
たことを特徴とする冷却ファンの取付構造。
【請求項２】
前記第１の構造部材と第２の構造部材を、前記締結手段を中心に回転可能に構成したことを特徴とする請求項１に記載の冷却ファンの取付構造。
【請求項３】
前記第１の構造部材と第２の構造部材の合せ面のいずれか一方に凸部を、いずれか他方に凹部を形成し、これら凹凸部を組み合わせて前記第１の構造部材と第２の構造部材を締結手段で締結することで、前記第１の構造部材と第２の構造部材を回転不能に固定したことを特徴とする請求項２に記載の冷却ファンの取付構造。
【請求項４】
前記第２の構造部材に設けられた係合溝は、前記第２の構造部材の両側面部の縁部に長手方向に一定長さの切欠き部を形成し、この切欠き部の上下端部にそれぞれ係合凹部を形成して構成され、これら係合凹部の開口端部で前記爪部を構成したことを特徴とする請求項１に記載の冷却ファンの取付構造。
【請求項５】
前記係合凹部のいずれか一方に、係合凹部の底面を奥から開口端側に向けて徐々に浅くなるように斜面を形成したことを特徴とする請求項４に記載の冷却ファンの取付構造。
【請求項６】
前記係合凹部の斜面を、側面視で、途中が盛り上がった湾曲面に形成したことを特徴とする請求項５に記載の冷却ファンの取付構造。
【請求項７】
前記押し圧部材として、前記第２の構造部材の平面部に形成したネジ孔に、締付用ネジを螺合して構成し、該締付用ネジを前記取付用レールのフランジ部に押し付けて、該フランジ部を前記爪部内壁面と前記締付用ネジ先端で挟持したことを特徴とする請求項６に記載の冷却ファンの取付構造。
【請求項８】
前記第１の構造部材を、平面部と、この平面部の両側にコ字形状になるように設けられた側面部と、この側面部の前後斜め方向に延びるそれぞれ一対のアーム部とで構成し、これら各一対のアーム部で、前記冷却ファンのファンフレームに形成された相隣り合う取付孔に、それぞれ締結部材で締結したことを特徴とする請求項１ないし７のいずれか１項に記載の冷却ファンの取付構造。
【請求項９】
前記取付部材を、冷却ファンのファンフレームと一体的に構成された第１の構造部材と、前記冷却ファンを取り付ける取付用レールに組み付けられる第２の構造部材とで構成し、前記第１の構造部材と第２の構造部材を締結手段で締結し、該締結手段を中心に回転可能に構成したことを特徴とする請求項１に記載の冷却ファンの取付構造。
【発明の詳細な説明】
【技術分野】
【０００１】
本発明は、電気装置を強制冷却する冷却ファンの取付構造に関し、特に取付用レールに取り付けられた冷却ファンの取付構造に関する。
【背景技術】
【０００２】
従来の冷却ファンの取付構造としては、たとえば特許文献１（特開平６−１８０１７０号公報）が知られている。
特許文献１においては、Ｌ字状の取付金具を、ネジを用いて、冷却ファンを電気装置に取り付けている。
ところで、ＦＡ機器、生産設備などに電力を供給し制御するための多数の電気機器を金属筐体内に取り付けた制御盤の内部では、いわゆるＤＩＮレールと言われる取付用レールを用いて電気機器を取り付ける場合が多い。ＤＩＮレールは、ドイツの工業規格で寸法が定められているレールで、世界的な規格となっているものである。
【特許文献１】特開平６−１８０１７０号公報
【発明の開示】
【発明が解決しようとする課題】
【０００３】
しかしながら、こうした従来の冷却ファンの取付構造にあっては、電気機器の冷却に際して有効に風を送るため、適切な角度で冷却ファンを取付ける必要があり、最適位置に冷却ファンを取り付けるため、冷却ファンの取付位置が重要となる。このため従来では、冷却ファンを取付ける側、すなわち電気装置のフレーム等にネジ孔を設けなければならないため、ＤＩＮレールに取り付けることができないという問題があった。
また、冷却ファンの位置や方向を任意に変更できないといった問題点があった。
【０００４】
本発明は、上記課題を解決し、冷却ファンの位置や方向を任意に変更することができるとともに、取付用レールにネジ孔を開けることなく、冷却ファンを容易に据え付けることができる冷却ファンの取付構造を提供することを目的とする。
【課題を解決するための手段】
【０００５】
本発明は、上記課題を解決するため、冷却ファンのファンフレームに形成された取付孔のいずれかに、取付部材を締結し、この取付部材を介して取付用レールに組み付けて冷却ファンを取り付ける冷却ファンの取付構造において、前記取付部材を、冷却ファンのファンフレームに形成された取付孔に締結する第１の構造部材と、前記冷却ファンを取り付ける取付用レールに組み付けられる第２の構造部材とで構成し、前記第１の構造部材と第２の構造部材を締結手段で締結し、
前記第２の構造部材を、前記第１の構造部材との合せ面を有し、前記締結手段を装着した平面部と、該平面部の両側に設けられ、前記取付用レールに組み付けられる係合溝を形成した両側面部とで構成し、前記係合溝の両端部に前記取付用レールの上下端部に係合する爪部を設け、該係合溝を介して前記取付用レールに前記第２の構造部材を組み付けるとともに、前記係合溝の両端部の爪部を前記取付用レールのフランジ部に係合させる押し圧部材を前記第２の構造部材に装着したことにある。
また、本発明は、前記第１の構造部材と第２の構造部材を、前記締結手段を中心に回転可能に構成したことにある。
さらに、本発明は、前記第１の構造部材と第２の構造部材の合せ面のいずれか一方に凸部を、いずれか他方に凹部を形成し、これら凹凸部を組み合わせて前記第１の構造部材と第２の構造部材を締結手段で締結することで、前記第１の構造部材と第２の構造部材を回転不能に固定したことにある。
また、本発明は、前記第２の構造部材に設けられた係合溝は、前記第２の構造部材の両側面部の縁部に長手方向に一定長さの切欠き部を形成し、この切欠き部の上下端部にそれぞれ係合凹部を形成して構成され、これら係合凹部の開口端部で前記爪部を構成したことにある。
さらに、本発明は、前記係合凹部のいずれか一方に、係合凹部の底面を奥から開口端側に向けて徐々に浅くなるように斜面を形成したことにある。
またさらに、本発明は、前記係合凹部の斜面を、側面視で、途中が盛り上がった湾曲面に形成したことにある。
また、本発明は、前記押し圧部材として、前記第２の構造部材の平面部に形成したネジ
孔に、締付用ネジを螺合して構成し、該締付用ネジを前記取付用レールのフランジ部に押し付けて、該フランジ部を前記爪部内壁面と前記締付用ネジ先端で挟持したことにある。
さらに、本発明は、前記第１の構造部材を、平面部と、この平面部の両側にコ字形状になるように設けられた側面部と、この側面部の前後斜め方向に延びるそれぞれ一対のアーム部とで構成し、これら各一対のアーム部で、前記冷却ファンのファンフレームに形成された相隣り合う取付孔に、それぞれ締結部材で締結したことにある。
また、本発明は、前記取付部材を、冷却ファンのファンフレームと一体的に構成された第１の構造部材と、前記冷却ファンを取り付ける取付用レールに組み付けられる第２の構造部材とで構成し、前記第１の構造部材と第２の構造部材を締結手段で締結し、該締結手段を中心に回転可能に構成したことにある。
【発明の効果】
【０００６】
本発明によれば以下の効果を得ることができる。
請求項１の発明によれば、取付部材を、冷却ファンのファンフレームに形成された取付孔に締結する第１の構造部材と、前記冷却ファンを取り付ける取付用レールに組み付けられる第２の構造部材とで構成したので、第１の構造部材と第２の構造部材を締結手段で容易に締結することができる。
請求項２の発明によれば、第１の構造部材と第２の構造部材を、締結手段を中心に回転可能に構成したので、冷却ファンの角度を容易に変更することができる。
請求項３の発明によれば、第１の構造部材と第２の構造部材の合せ面のいずれか一方に凸部を、いずれか他方に凹部を形成したので、これら凹凸部を組み合わせて前記第１の構造部材と第２の構造部材を締結することにより、第１の構造部材と第２の構造部材の回転を防ぐことができる。これによって、設定した冷却ファンの向きを、より強固に固定できる冷却ファンの取付構造を得ることができる。
請求項４の発明によれば、係合溝を介して前記取付用レールに前記第２の構造部材を組み付けるとともに、前記取付用レールの上下端部に係合する前記係合溝の両端部の爪部を前記取付用レールのフランジ部に圧着させる押し圧部材を前記第２の構造部材に装着したので、押し圧部材の締付けによって取付用レールのフランジ部を、係合溝の両端部の爪部と押し圧部材の先端との間で挟持して固定することができる。
請求項５の発明によれば、係合溝は、前記第２の構造部材の両側面部の縁部に長手方向に一定長さの切欠き部を形成し、この切欠き部の上下端部にそれぞれ係合凹部を形成して構成され、これら係合凹部の開口端部で爪部を構成したので、係合凹部によって取付用レールの上下フランジ部を支持することができることから、取付用レールから第２の構造部材が離脱する恐れがない。
請求項６の発明によれば、前記係合凹部のいずれか一方に、係合凹部の底面を奥から開口端側に向けて徐々に浅くなるように斜面を形成したので、押し圧部材を締め付けることによって、取付用レールの片側フランジ部が斜面に沿って係合溝の浅い位置に移動して開口端側の爪部に係止され、かつ取付用レールの他方側フランジ部が係合溝の深い位置で位置決めされることから、取付用レールのフランジ部に第２の構造部材を確実に固定することができる。
請求項７の発明によれば、係合凹部の斜面を、側面視で、途中が盛り上がった湾曲面に形成したので、取付用レールの片側フランジ部が湾曲面に沿って係合溝の浅い位置に移動して開口端側の爪部に係止されることから、第２の構造部材を係合凹部の最適位置に誘導することができる。
請求項８の発明によれば、押し圧部材として、前記第２の構造部材の平面部に形成したネジ孔に、締付用ネジを螺合して構成し、該締付用ネジを前記取付用レールのフランジ部に押し付けて、該フランジ部を前記爪部内壁面と前記締付用ネジ先端で挟持するので、第２の構造部材を取付用レールに確実に固定することができる。
請求項９の発明によれば、第１の構造部材を、平面部と、この平面部の両側にコ字形状になるように設けられた側面部と、この側面部の前後斜め方向に延びるそれぞれ一対のアーム部とで構成し、これら各一対のアーム部で、前記冷却ファンのファンフレームに形成された相隣り合う取付孔に、それぞれ締結部材で締結するので、第１の構造部材を、冷却ファンのファンフレームに確実に固定することができる。
請求項１０の発明によれば、取付部材を冷却ファンのファンフレームと一体的に構成された第１の構造部材と、前記冷却ファンを取り付ける取付用レールに組み付けられる第２の構造部材とで構成し、前記第１の構造部材と第２の構造部材を締結手段で締結し、該締結手段を中心に回転可能に構成したので、第１の構造部材と第２の構造部材を締結手段で締結することができ、また冷却ファンの角度を容易に変更することができる。
【発明を実施するための最良の形態】
【０００７】
以下、本発明の実施の形態を、図面を参照しながら詳細に説明する。
図１ないし図３は冷却ファンの取付構造を示す斜視図、図４は取付用レールに取り付けた第２の構造部材を示す側面図、図５は図４の一部拡大図である。
【０００８】
図１ないし図３において、１０は冷却ファンで、ファンモータ１１を備えたファン本体１２と、このファン本体１２を中心軸線上に支持するファンフレーム１３とで構成されている。ファンフレーム１３は、四角形の枠体１４の四隅に軸方向の取付孔１５が形成されており、この取付孔１５に締結部材としての取付ネジ１６を介して取付部材２０が取り付けられている。
【０００９】
取付部材２０は、冷却ファン１０のファンフレーム１３に形成された取付孔１５に締結された第１の構造部材３０と、図４および図５に示すように、前記冷却ファン１０を取り付ける取付用レール５０に組み付けられる第２の構造部材４０とで構成し、前記第１の構造部材３０と第２の構造部材４０を締結手段６０としてのネジ６１で締結したものである。また、第２の構造部材４０は、固定部材７０を介して取付用レール５０としての、いわゆるＤＩＮレール５１に取付けられている。
【００１０】
前記第１の構造部材３０は、冷却ファン１０の厚みに略対応する幅に形成された平面部３１と、この平面部３１の両側に略コ字形状になるように設けられた側面部３２Ａ，３２Ｂと、この側面部３２Ａ，３２Ｂの前後斜め方向に一定角度で延びるそれぞれ一対のアーム部３２ａ１，３２ａ２および３２ｂ１，３２ｂ２とで構成し、これら各一対のアーム部３２ａ１，３２ａ２および３２ｂ１，３２ｂ２には、先端部に取付孔３３がそれぞれ形成されている。この取付孔３３に取付ネジ１６を挿通して、前記冷却ファン１０のファンフレーム１３に形成された取付孔１５に、締結されている。前記各一対のアーム部３２ａ１，３２ａ２および３２ｂ１，３２ｂ２の先端の一側には、互いに近づく方向に折り曲げられた折り曲げ部３２ｃ１，３２ｃ２および３２ｄ１，３２ｄ２が設けられ、これら折り曲げ部３２ｃ１，３２ｃ２および３２ｄ１，３２ｄ２によって冷却ファン１０のファンフレーム１３の両側端面を係止するものである。すなわち、折り曲げ部３２ｃ１，３２ｃ２相互間において、冷却ファン１０のファンフレーム１３の片側板面１３ａの両端面を係止するものである。また、折り曲げ部３２ｄ１，３２ｄ２相互間によって、冷却ファン１０のファンフレーム１３の片側板面１３ｂの両端面を係止するものである。
【００１１】
前記第１の構造部材３０の平面部３１には、図６に示すように、中心位置に取付孔３４が形成され、この取付孔３４の周囲に、上下左右に４箇所の半円状の突起部３５が形成されている。
一方、第２の構造部材４０は、前記第１の構造部材３０との合せ面となる、前記締結手段６０を装着した平面部４１と、該平面部４１の両側に設けられ、前記取付用レール５０に組み付けられる係合溝４２を形成した両側面部４３とで構成されている。前記第２の構造部材４０は、前記係合溝４２の両端部にそれぞれ爪部４２ａ，４２ｂを設け、該係合溝４２を介して前記取付用レール５０に前記第２の構造部材４０が組み付けられている。
【００１２】
前記第２の構造部材４０に設けられた係合溝４２は、図４および図５に示すように、前記第２の構造部材４０の両側面部４３の縁部に長手方向に一定長さの切欠き部を形成し、この切欠き部の上下端部に互いに対向する係合凹部４４，４５をそれぞれ形成して構成され、これら係合凹部４４，４５の開口端側に前記爪部４２ａ，４２ｂが形成されている。前記上部側の係合凹部４４は、底面４４ａを、略円形の曲面形状に形成している。この略円形の曲面形状は、例えば、取付用レール５０のフランジ部５０ａの厚さ寸法と同じ寸法の半径で円を描くように形成する。この底面４４ａから前記係合溝４２の内壁面４２ｃ１までを斜面４４ｂに形成してある。また、下部側の係合凹部４５は、係合凹部４５の底面４５ａから前記爪部４２ｂに向けて係合凹部４５の深さが次第に浅くなる斜面４５ｂに形成してある。
前記係合凹部４５が設けられた前記係合溝４２の底面４２ｃ２は、係合凹部４４が設けられた側の底面４２ｃ１に比べて係合溝４２の開口端側からの深さが深くなるように形成されている。また、前記斜面４５ｂは、中間部を突出させた凸面形状に形成されている。
【００１３】
前記第２の構造部材４０は、両側面部４３に挟まれた平面部４１の一側に、前記係合溝４２に挟まれるようにしてネジ孔４６が形成されており、このネジ孔４６に固定部材７０としてのネジ７１が羅着されている。このネジ７１は、取付用レール５０のフランジ部５０ａ板面に当接して取付用レール５０のフランジ部５０ａを爪部４２ｂに向けて押圧するものである。平面部４１の他側には、ネジ孔４７が形成されており、このネジ孔４７の周囲に図７に示すように一定間隔で前記第１の構造部材３０の平面部３１に形成された前記突起部３５に係合する凹部４８が突起部３５に対向して設けられている。この凹部４８の数は突起部３５の倍数（図示例では４５°ごとに凹部４８を形成する。）に設定されて形成されており、前記第１の構造部材３０の取付角度を前記第２の構造部材４０に対して変えられるように構成されている。図示例としては、凹部４８として孔を一定間隔で開けて用いているが、凹みを形成して凹部４８として用いても良い。
【００１４】
次に、冷却ファン１０を取付用レール５０に取り付ける手順を説明する。
まず、冷却ファン１０のファンフレーム１３に第１の構造部材３０を介して取付部材２０を組付ける。第１の構造部材３０は、各一対のアーム部３２ａ１，３２ａ２および３２ｂ１，３２ｂ２を冷却ファン１０のファンフレーム１３に組付け、冷却ファン１０のファンフレーム１３に形成された取付孔１５に、アーム部３２ａ１，３２ａ２および３２ｂ１，３２ｂ２の先端部に形成された取付孔３３を合わせて取付ネジ１６を挿通して締結する。
このとき、第１の構造部材３０のアーム部３２ａ１，３２ａ２および３２ｂ１，３２ｂ２の先端に設けられた折り曲げ部３２ｃ１，３２ｃ２および３２ｄ１，３２ｄ２によって冷却ファン１０のファンフレーム１３の両側端面を係止する。
【００１５】
次に、取付用レール５０に、第２の構造部材４０を介して取付部材２０を組付ける。第２の構造部材４０は、両側面部４３の係合溝４２を取付用レール５０に引っ掛けて組付ける。組付けに際しては、係合溝４２の下部側の係合凹部４５を取付用レール５０の下部側のフランジ部５０ａに引っ掛けてから係合溝４２の上部側の係合凹部４４を取付用レール５０の上部側のフランジ部５０ａに引っ掛ける。そして、固定部材７０としてのネジ７１を締め付けて取付用レール５０の下部側のフランジ部５０ａを押圧する。これによって、取付用レール５０の下部側のフランジ部５０ａは、下部側の係合凹部４５に形成された斜面４５ｂに沿って、前方上方に移動しながら、爪部４２ｂに係止されて係合凹部４５の最も浅い位置で締め付け固定される。このとき、取付用レール５０の上部側のフランジ部５０ａは、上部側の係合凹部４４内に移動し、略円形の曲面形状に形成された底面４４ａ内の最も奥の位置に位置決めされる。こうして、取付用レール５０に第２の構造部材４０が組み付けられる。そして、冷却ファン１０の向きを冷却すべき電子制御装置の方向に調整する。冷却ファン１０の向きの調整には、締結手段６０のネジを緩めて突起部３５に係合している凹部４８の位置を変えて第２の構造部材４０に対して第１の構造部材３０を回動させて冷却ファン１０の向きを調整する。
【００１６】
上記実施の形態によれば、次のような効果を奏することができる。
取付用レール５０に第２の構造部材４０を介して固定部材７０としてのネジ７１を締め付ける作業だけで、取付部材２０を組付けることができることから、組付けが容易で、作業能率の向上を図ることができる。また、第１の構造部材３０と第２の構造部材４０を締結手段６０としてのネジ６１で締結しているだけなので、ネジ６１を緩めて互いに回転させるだけで、冷却ファン１０の向きを簡単に調整することができる。このとき、突起部３５を回動させて突起部３５に係合する凹部４８を変えることによって、任意の角度に冷却ファン１０の向きを調整することができる。固定部材７０としてのネジ７１を締め付けて取付用レール５０の下部側のフランジ部５０ａを押圧するだけで、取付用レール５０の下部側のフランジ部５０ａは、下部側の係合凹部４５に形成された湾曲した斜面４５ｂに沿って、前方上方に移動しながら、爪部４２ｂに係止されて係合凹部４５の最も浅い位置で締め付け固定され、上部側のフランジ部５０ａは、上部側の係合凹部４４内に移動し、略円形の曲面形状に形成された底面４４ａ内の最も奥の位置に位置決めされるので、自動的に係止最適位置にスライドするとともに、全くガタのない冷却ファンの取付構造を得ることができる。
【００１７】
なお、本発明は、上記実施の形態のみに限定されるものではなく、例えば、取付用レールに組み付けられる冷却ファンとしては、各種の冷却ファンを用いることができ、第１の構造部材と第２の構造部材を締結するものであれば、締結手段としてはネジ、ボルトに限らず、種々のものを用いることができる。また、上部側の係合凹部４４および下部側の係合凹部４５の構造も上記実施の形態の構造に限らず、取付用レール５０の上下部側のフランジ部５０ａのがたを防ぐことができれば、他の構造のものを採用することもできる。さらに、取付用レール５０としては、上記実施の形態ではＤＩＮレール５１を用いたが、長尺の薄板状のレールであれば、ＤＩＮレール５１に限らず他の規格のレールに対して適用することも可能である。上記実施の形態では、冷却ファン１０のファンフレーム１３の取付孔１５に、取付ネジ１６を介して第１の構造部材３０を締結したが、ファンフレーム１３に第１の構造部材３０を予め一体的に構成することも可能である。その他、本発明の要旨を変更しない範囲内で適宜変更して実施し得ることは言うまでもない。
【図面の簡単な説明】
【００１８】
【図１】本発明の実施の形態による冷却ファンの取付構造を示す斜視図である。
【図２】図１の冷却ファンの向きを変えた本発明の実施の形態による冷却ファンの取付構造を示す斜視図である。
【図３】図１の冷却ファンの向きを変えた本発明の実施の形態による冷却ファンの取付構造を示す斜視図である。
【図４】図４は取付用レールに取り付けた第２の構造部材を示す側面図である。
【図５】図４の一部拡大図である。
【図６】取付部材の第１の構造部材を示す正面図である。
【図７】取付部材の第２の構造部材を示す正面図である。
【符号の説明】
【００１９】
１０  冷却ファン
１１  ファンモータ
１２  ファン本体
１３  ファンフレーム
１４  枠体
１５  取付孔
１６  取付ネジ
２０  取付部材
３０  第１の構造部材
３１  平面部
３４  取付孔
３５  突起部
４０  第２の構造部材
４１  平面部
４２  係合溝
４２ａ，４２ｂ  爪部
４４，４５  係合凹部
４４ａ  底面
４５ｂ  斜面
４８  凹部
５０  取付用レール
５０ａ  フランジ部
５１  ＤＩＮレール
６０  締結手段
６１  ネジ
７０  固定部材
【図１】
0005001896.tif 000002
【図２】
0005001896.tif 000003
【図３】
0005001896.tif 000004
【図４】
0005001896.tif 000005
【図５】
0005001896.tif 000006
【図６】
0005001896.tif 000007
【図７】
0005001896.tif 000008